(57)【要約】      （修正有）【課題】製造が容易であり、しかも鏡面の大きさを任意かつ容易に設定することが可能な浴室用壁パネルを提供する。【解決手段】防水床パン５、浴槽６、浴室用壁パネル１（１Ａ、１Ｂ、１Ｃ）、天井パネル７を現場で組み立てて構成され、防水床パン５の外端部の立ち上がりの上部に複数の浴室用壁パネル１が載置され、浴室用壁パネル１で囲まれる空間の上部開口を塞ぐように浴室用壁パネル１の上に天井パネル７が取り付けられて浴室空間としての浴室４が形成され、鏡２は、浴室用壁パネル１Ｂの表面３の少なくとも一部に光反射材料が直接印刷されて形成されている。【選択図】図１
2016056563.tif 000002
【特許請求の範囲】
【請求項１】
印刷された鏡を有する浴室用壁パネルであって、前記鏡は、浴室用壁パネルの表面の少なくとも一部に光反射材料が直接印刷されて形成されていることを特徴とする浴室用壁パネル。
【請求項２】
前記浴室用壁パネルの前記表面は、平滑な面であることを特徴とする請求項１に記載の浴室用壁パネル。
【請求項３】
請求項１または２に記載の浴室用壁パネルが建て込まれて形成されたことを特徴とする浴室。
【発明の詳細な説明】
【技術分野】
【０００１】
本発明は、浴室用壁パネルに関するものである。
【背景技術】
【０００２】
従来、浴室内の壁に鏡を設置する際には、固定用金具を介して鏡を取り付ける必要があった。ただ、このような従来の鏡の取り付けでは、浴室を構成する壁パネルの表面と鏡との間に段差が生じ、この段差に汚れがたまりやすく清掃しにくい等の問題があった。
【０００３】
このような問題への対策として、金属材や合成樹脂製フィルムの表面にアルミニウムや銀等の皮膜を真空蒸着等の手段によって設けて鏡を形成し、これを壁パネルの表面に接着剤で貼り付け、その後表面全体を透明保護膜で被覆した鏡機能付き壁パネルが提案されている（特許文献１）。この鏡機能付き壁パネルによれば、鏡の周縁が保護膜で覆われるため、鏡と壁パネル等の境や隙間に汚れが溜まらず、掃除の手間を軽減することが可能であるとされている。
【先行技術文献】
【特許文献】
【０００４】
【特許文献１】特開２００８−７５３２７号公報
【発明の概要】
【発明が解決しようとする課題】
【０００５】
しかしながら、前記の鏡機能付き壁パネルでは、鏡の大きさの調整が可能ではあるもののその大きさに応じた金属材や合成樹脂フィルムを用意しておくことが必要である。また、合成樹脂フィルムを大きくしたい場合に、接着時にシワやたるみが発生しやすいため、合成樹脂フィルムを見栄え良く接着することが難しいという問題がある。
【０００６】
また、前記の鏡機能付き壁パネルの製造工程においては、真空蒸着を行うために真空釜等の特殊な設備を用いる必要がある。さらに、壁パネルの表面で鏡の固定位置を決め、接着剤等によって鏡を接着し、その後鏡を含めた表面全体に紫外線硬化型樹脂等の樹脂を塗布、硬化させるという多段階の複雑で面倒な作業となる。このため、その製造には負担が大きいという問題があった。
【０００７】
本発明は、以上のとおりの事情に鑑みてなされたものであり、製造が容易であり、しかも鏡の大きさを任意かつ容易に設定することが可能な浴室用壁パネルを提供することを課題としている。
【課題を解決するための手段】
【０００８】
本発明は、上記の課題を解決するために、以下のことを特徴としている。
【０００９】
すなわち、本発明の浴室用壁パネルは、印刷された鏡を有する浴室用壁パネルであって、前記鏡は、浴室用壁パネルの表面の少なくとも一部に光反射材料が直接印刷されて形成されている。
【発明の効果】
【００１０】
本発明の浴室用壁パネルによれば、製造が容易であり、しかも鏡面の大きさを任意かつ容易に設定することが可能な浴室用壁パネルを提供することができる。
【図面の簡単な説明】
【００１１】
【図１】（Ａ）（Ｂ）は、それぞれ、本発明の第一の実施形態としての浴室用壁パネルとこれを建て込んだ浴室を示した概略斜視図および要部拡大斜視図である。
【図２】本発明の浴室用壁パネルの鏡の配置を示している概略断面図である。
【図３】本発明の第二の実施形態としての浴室用壁パネルとこれを建て込んだ浴室を示した概略斜視図である。
【図４】本発明の第三の実施形態としての浴室用壁パネルとこれを建て込んだ浴室を示した概略斜視図である。
【発明を実施するための形態】
【００１２】
以下、本発明の浴室用壁パネルについて、図面に沿って詳細に説明する。
【００１３】
図１（Ａ）（Ｂ）は、それぞれ、本発明の第一の実施形態としての浴室用壁パネルとこれを建て込んだ浴室の概略斜視図および要部拡大斜視図である。
【００１４】
図１（Ａ）において、浴室４は、防水床パン５、浴槽６、浴室用壁パネル１（１Ａ、１Ｂ、１Ｃ）、天井パネル７を現場で組み立てて構成される。例えば、防水床パン５の外端部の立ち上がりの上部に複数の浴室用壁パネル１が載置され、浴室用壁パネル１で囲まれる空間の上部開口を塞ぐように浴室用壁パネル１の上に天井パネル７が取り付けられる。このようにして、浴室空間としての浴室４が形成される。
【００１５】
この浴室４における浴室用壁パネル１のうちの所定の浴室用壁パネル１Ｂには、その表面に、光反射材料が直接印刷されて形成された鏡２が設けられている。
【００１６】
図１（Ａ）においては、防水床パン５の床８に洗い場９が形成され、洗い場９と隣接するように浴槽６が設置されている。また、床８において洗い場９と浴槽６の間には、排水口１０が形成されている。そして、図１（Ｂ）に示すように、鏡２が設けられた浴室用壁パネル１Ｂにおいては、カウンター１１、混合水栓１２、シャワーヘッド１３、洗面器置き用のカウンター１４等が設置されている。また、給湯コントローラー１５等が設置されている。
【００１７】
図２は、前記浴室用壁パネルの鏡の配置を示している概略断面図である。
【００１８】
図２に示した浴室用壁パネル１については、その素材や構成、構造が限定されることはない。浴室用壁パネル１としては、従来公知の浴室用壁パネルを使用することもできる。例えば、浴室用壁パネル１の本体１ａは、３層構造から構成することができ、この場合化粧フィルム層、金属鈑層およびバックコート層の３層構造が例示される。
【００１９】
浴室用壁パネル１の表面３は、平滑な面であることが好ましい。浴室用壁パネル１の表面３が、平滑な面であることにより、歪みのない鏡面を備える鏡２が印刷されて形成可能である。
【００２０】
浴室用壁パネル１Ｂの表面３の少なくとも一部には、前記のとおり、光反射材料が直接印刷されて鏡２が形成されているが、光反射材料としては、各種のものが選択使用されてよい。例えば、アルミニウムや銀等の金属粒子、ガラス粉やセラミック粒子、ポリマー粒子、あるいはこれらの混合粒子が例示される。これらの光反射材料の内でも、銀は、耐食性に優れているため、湿度が高くなる浴室４に設置する鏡２の材料として好適に用いられる。これら粒子の場合、バインダーとしての基材を含む塗料として印刷に用いられる。
【００２１】
光反射材料を含む塗料の基材としては、例えば、熱可塑性樹脂、熱硬化性樹脂、紫外線硬化型樹脂等の樹脂を用いることが例示される。また、光反射材料を含む塗料の基材として用いる樹脂は、液状の樹脂が好ましい。液状の樹脂を用いることによって、基材となる樹脂中に光反射材料を均一に分散させることができ、塗料のハンドリング性が良好であって、浴室用壁パネル１Ｂの表面３に厚みが均一で歪みのない鏡面を備える鏡２を印刷して形成することができる。
【００２２】
熱可塑性樹脂としては、例えば、ポリ塩化ビニル樹脂、ポリエチレン樹脂、ポリプロピレン樹脂、ポリスチレン樹脂、ポリエステル樹脂等の公知のオレフィン系樹脂等が例示される。また、上記オレフィン系樹脂に加えて、例えば、ポリ酢酸ビニル樹脂、ポリメチルメタクリレート樹脂、ポリε‐カプロラクトン樹脂、飽和ポリエステル樹脂、ポリブタジエン樹脂等が例示される。また、ポリスチレン‐ポリ酢酸ビニル共重合体樹脂、エチレン‐酢酸ビニル共重合体樹脂、塩化ビニル‐酢酸ビニル共重合体樹脂等も例示される。これらの樹脂は、１種または２種類以上を用いることができる。
【００２３】
熱硬化性樹脂としては、例えば、フェノール樹脂、レゾルシノール樹脂、ユリア樹脂、メラミン樹脂、エポキシ樹脂、ウレタン樹脂、フルフラール樹脂、イソシアネート樹脂等の１種または２種類以上のものが例示される。
【００２４】
紫外線硬化型樹脂としては、例えば、分子中に（メタ）アクリロイル基、（メタ）アクリロイルオキシ基等のラジカル重合性不飽和基、チオール基を２個以上有する硬化性（メタ）アクリレートモノマーを重合して得られる樹脂等が例示される。耐久性の観点から、アクリロイル基を有するものが好ましい。また、分子中に、例えば、イソシアヌレート環、トリアジン環などの環状骨格を有するものであってもよい。デンドリマー、ハイパーブランチポリマー、スターバーストポリマーなど多分岐ポリマー構造を分子中に有することもできる。これらの樹脂は、１種または２種類以上を用いることができる。
【００２５】
なお、光反射材料を含む塗料における光反射材料の配合比率は、特に限定されないが、硬化後の固形分として５質量％〜３０質量％の範囲内であることが好ましい。光反射材料の配合比率が上記の範囲内にあれば、印刷用塗料としてのハンドリング性が良好であって、浴室用壁パネル１Ｂの表面３に厚みが均一で歪みのない鏡面を備える鏡２を形成することができる。
【００２６】
このような光反射材料を含む塗料を直接印刷する際には、以下のとおりに行うことができる。すなわち、まず、光反射材料と塗料の基材となる樹脂を、機械式の攪拌機能を有する攪拌機の攪拌容器内に投入し、均一に分散させる。光反射材料が均一に分散された塗料を印刷装置の塗料タンクに供給し、浴室用壁パネル１Ｂの表面３の少なくとも一部に光反射材料を含む塗料を印刷する。これによって鏡２が形成される。なお、ここでいう印刷には、塗装も含まれる。
【００２７】
なお、光反射材料を含む塗料の塗膜の表面に、光透過性の塗膜を形成することが好ましい。光透過性の塗膜を形成すると、光反射材料の光反射性能を長期間維持することができ好ましい。この光透過性の塗膜を形成する樹脂としては、上記した光反射材料を含む塗料に含有する樹脂のうち、光透過性のものを選択すればよい。この樹脂としては、親水性の樹脂を選択すると、表面に水が拡がり、水滴が発生しにくくなるため好ましい。
【００２８】
印刷の方法としては、例えば、インクジェット印刷、シルクスクリーン印刷等が例示される。特に、インクジェット印刷は好適であり、精度よく、鏡を印刷することができ、印刷効率も良好である。浴室用壁パネル１Ｂの表面３への印刷は自動化により行うことができる。また、印刷回数には特に制限はなく、１回でも２回以上でもよい。
【００２９】
また、塗装の方法としては、例えば、エアスプレー法、エアレススプレー法、ディッピング法、ロールコーター法、カーテンコーター法、ディスペンサーを用いる方法、ポッティング法等が例示される。浴室用壁パネル１の表面３への塗装は、自動化により、あるいは手動により行うことできる。また、塗装回数は特に制限はなく、１回でも２回以上でもよい。
【００３０】
このような光反射材料を含む塗料が直接印刷されて形成される鏡２は、例えば、その厚みを５０μｍ〜１ｍｍの範囲になるように設定することができる。鏡２の厚みの設定は、光反射材料を含む塗料の印刷時において塗料の射出量を調節すること等によって適宜行うことができる。鏡２の厚みが、上記の範囲にあれば、浴室用壁パネル１Ｂの表面３と鏡２との間に段差が生じないことから、汚れが溜まらず、清掃が簡単である。また、鏡２の厚みが、上記の範囲にあれば、浴室用壁パネル１Ｂの表面３に直接印刷されて形成された鏡２の鏡面を必要に応じて研磨することができる。
【００３１】
このような鏡２は、直接印刷によって形成されるため、鏡２を有する浴室用壁パネル１Ｂとしてその製造は従来に比べて容易であって、負担も大きくない。しかも、鏡の大きさの調整や鏡の清掃も容易である。また、鏡２が割れて入浴者が怪我をすることがなく、安全性が高い。
【００３２】
なお、鏡２の形状は、表面平滑であって歪みのない鏡面を備える限り、矩形状、円形状等の形状に限定されることはない。また、鏡２の直接印刷には、文字通り、浴室用壁パネル１Ｂの表面に直接印刷されることが含まれる他、浴室用壁パネル１Ｂの表面に下地処理などを施し、鏡２が密着しやすいようにする場合も含む。
【００３３】
鏡２を設けていない浴室用壁パネル１Ａ、１Ｃについては、浴室用壁パネル１Ｂと同種の素材、構成、構造のものであってもよいし、別種であってもよい。図１（Ａ）（Ｂ）のように、カウンター１１、混合水栓１２、シャワーヘッド１３、洗面器置き用のカウンター１４等を設けている浴室用壁パネル１Ｂの場合は、より強度の大きいものとすることも考慮される。
【００３４】
図３は、第二の実施形態としての浴室用壁パネルとこれを建て込んだ浴室を示した概略斜視図である。
【００３５】
図１（Ａ）に示した浴室用壁パネル１（１Ａ、１Ｂ、１Ｃ）を建て込んだ浴室４と共通する部分には、図３に同一の符号を付し、以下ではその説明を省略する。
【００３６】
この図３に示した第二の実施形態では、浴室用壁パネル１の内、一枚の浴室用壁パネル１Ｂについてその表面３の全面に光反射材料が直接印刷されて鏡２が形成されている。
【００３７】
図４は、第三の実施形態としての浴室用壁パネルとこれを建て込んだ浴室を示した概略斜視図である。
【００３８】
図１（Ａ）に示した浴室用壁パネル１（１Ａ、１Ｂ、１Ｃ）を建て込んだ浴室４と共通する部分には同一の符号を付し、以下ではその説明を省略する。
【００３９】
この図４に示した第三の実施形態では、３枚全ての浴室用壁パネル１Ａ、１Ｂ、１Ｃの表面３の全面に光反射材料が直接印刷されて鏡２が形成されている。
【００４０】
第二、第三の実施形態では、鏡２は、入浴者のほぼ全身を映す姿見としての機能を果たすことも可能である。さらに、入浴者が浴槽６に入っている状態でも、洗い場９の全体を視野に入れることができる。このため、例えば、親子での入浴時に、常に子供の姿、動作を映すことも可能である。
【符号の説明】
【００４１】
１、１Ａ、１Ｂ、１Ｃ  浴室用壁パネル
２  鏡
３  表面
【図１】
2016056563.tif 000003
【図２】
2016056563.tif 000004
【図３】
2016056563.tif 000005
【図４】
2016056563.tif 000006